(57)【特許請求の範囲】
【請求項１】
本体；
該本体にヒンジで留められた蓋を含む密封部であって、該蓋が開位置から閉位置まで可動である、密封部；
該蓋にヒンジで留められたタブ；および
該本体から延びる突き出した部分であって、内部に形成されるスロットと表面に形成されるピンとを有する、突き出した部分
を含む容器であって、
(i)該タブが該スロットに係合する第１の機構、または(ii)該タブがピンのピンヘッドに係合する第２の機構によって、該タブが該蓋を閉位置に固定し、
該タブおよび該蓋が開位置に戻った時に、該ピンが該突き出した部分から離れるように構成されている、
容器。
【請求項２】
前記容器を試験機器と位置合わせする、本体の底に形成された、内側に向けて突き出たくぼみをさらに含む、請求項1記載の容器。
【請求項３】
前記内側に向けて突き出たくぼみに配置された試験用エレメントをさらに含む、請求項2記載の容器。
【請求項４】
前記試験用エレメントの少なくとも一部分が、前記本体内に置かれた試料と接触する、請求項3記載の容器。
【請求項５】
前記内側に向けて突き出たくぼみが、前記試験用エレメントと前記試験機器との光学的位置合わせを提供する、請求項3記載の容器。
【請求項６】
前記試験用エレメントの少なくとも一部分が前記底の内面より高く持ち上げられている、請求項4記載の容器。
【請求項７】
前記試験用エレメントが前記試験機器と接触している、請求項3記載の容器。
【請求項８】
前記接触が前記試験機器との光学的連通を含む、請求項7記載の容器。
【請求項９】
前記試験用エレメントが前記容器の材料と一体化している、請求項3記載の容器。
【請求項１０】
前記試験用エレメントが前記容器の材料とは異なる材料を含む、請求項3記載の容器。
【請求項１１】
前記試験用エレメントがシロキサン材料を含む、請求項3記載の容器。
【請求項１２】
本体；
該本体にヒンジで留められた蓋を含む密封部であって、該蓋が開位置から閉位置まで可動である、密封部；
試験用エレメントであって、該試験用エレメントの少なくとも一部分が該本体に置かれた試料と接触するように、該本体の底に配置された、試験用エレメント；
該蓋にヒンジで留められたタブ；および
該本体から延びる突き出した部分であって、内部に形成されるスロットと表面に形成されるピンとを有する、突き出した部分
を含む容器であって、
(i)該タブが該スロットに係合する第１の機構、または(ii)該タブがピンのピンヘッドに係合する第２の機構によって、該タブが該蓋を閉位置に固定し、
該タブおよび該蓋が開位置に戻った時に、該ピンが該突き出した部分から離れるように構成されている、
容器。
【請求項１３】
前記容器を試験機器と位置合わせする、前記本体の底に形成された、内側に向けて突き出たくぼみをさらに含む、請求項12記載の容器。
【請求項１４】
前記試験用エレメントの少なくとも一部分が前記底の内面より高く持ち上げられている、請求項12記載の容器。
【請求項１５】
前記試験用エレメントが前記内側に向けて突き出たくぼみに配置されている、請求項13記載の容器。
【請求項１６】
前記内側に向けて突き出たくぼみが、前記試験用エレメントと前記試験機器との光学的位置合わせを提供する、請求項13記載の容器。
【請求項１７】
前記試験用エレメントが前記試験機器と光学的に連通している、請求項16記載の容器。
【請求項１８】
前記試験用エレメントが前記容器の材料と一体化している、請求項12記載の容器。
【請求項１９】
前記試験用エレメントが前記容器の材料とは異なる材料を含む、請求項12記載の容器。
【請求項２０】
前記試験用エレメントがシロキサン材料を含む、請求項12記載の容器。
【発明の詳細な説明】
【技術分野】
【０００１】
この出願は、2010年6月18日に出願された米国仮特許出願第61/356,364に基づく優先権を主張するものであり、参照により本明細書に組み入れられる。
【０００２】
発明の分野
この発明は容器の分野に関連し、さらに具体的には、不正開封表示機構及びロック機構を有する密封部、及び試験機器とはめ合わせるための底を有する容器に関する。
【背景技術】
【０００３】
背景
試験試料、飲料、食品、薬品等などの種々の物質のための現在の容器は、再シール可能な密封部を有する。そのような密封部は、容器を固くシールでき、かつ開封後再シールできるという利点を使用者に提供する。再シール可能な容器は使用者に利点を提供するが、その性質により、許可無く、かつ時には検出不可能な、物質の入っている容器の不正開封が可能となる。従って、多くの容器は不正開封表示式密封部を有し、それらは容器が開封されたことを使用者に明示するようにデザインされている。
【０００４】
ソフトドリンクのボトルの密封部における不正開封明示バンド等の現在の不正開封表示式密封部の一つの問題点は、最初の開封後には、密封部が容器を確実にロックすることができないことである。
【０００５】
従って、改良された容器、容器のための密封部、及び容器のための底についての必要性が存在する。このように、少なくとも部分的に上記及び他の欠点に向かう解決が望まれる。
【発明の概要】
【０００６】
本発明の一つの局面によれば、本体と密封部とを有する容器が提供される。ここで密封部は、本体に取り付けられたリングにヒンジで留められ、開位置から閉位置まで可動である蓋を有する。蓋が開位置から閉位置まで動く際に、リングに形成されたスロットにタブが挿入されかつ係合し、それによって蓋を閉位置でロックするために、またはタブに形成された穴において、リングに取り付けられたピンのピンヘッドをタブが受けかつ係合し、それによって蓋を閉位置に保持するために、蓋がそこにヒンジで取り付けられたタブを有し、タブ及び蓋が開位置に戻った時に、ピンがリングから離れるように構成される。容器は、容器を試験機器とはめ合わせるための、本体の底に形成されたくぼみを含み得る。
[本発明1001]
本体と密封部とを含む容器であって、
密封部が、本体に取り付けられたリングにヒンジで留められた蓋を有し、蓋が、開位置から閉位置まで可動であり、
蓋が開位置から閉位置まで動く際に、リングに形成されたスロットにタブが挿入されかつ係合し、それによって蓋を閉位置でロックするために、または、
タブに形成された穴において、リングに取り付けられたピンのピンヘッドをタブが受けかつ係合し、それによって蓋を閉位置に保持するために、
蓋がそこにヒンジで留められたタブを有し、タブ及び蓋が開位置に戻った時に、ピンがリングから離れるように構成される、容器。
[本発明1002]
容器と試験機器をはめ合わせるために、本体の底に形成されたくぼみをさらに含む、本発明1001の容器。
[本発明1003]
試験用エレメントの一部分が本体内に置かれた試料と接触するように、くぼみに配置された試験用エレメントをさらに含む、本発明1002の容器。
[本発明1004]
試験用エレメントが前記底と接触する面から離れている、本発明1003の容器。
[本発明1005]
試験用エレメントが試験機器と接触している、本発明1003の容器。
[本発明1006]
前記接触が試験機器との光学的連通を含む、本発明1005の容器。
[本発明1007]
試験用エレメントが容器の材料と一体化している、本発明1003の容器。
[本発明1008]
試験用エレメントが容器の材料とは異なる材料を含む、本発明1003の容器。
[本発明1009]
蓋を有する容器に試料を保管するための方法であって、以下：
閉位置にある蓋を有する容器を最初に提供する工程であって、容器が、該蓋が開けられていないことを確認する第一のインジケーターを有する、工程；及び
蓋を開け、試料を容器内に置き、かつ蓋を閉じる工程であって、第一のインジケーターに、蓋が開けられたことを表示させ、第二のインジケーターに、一度開けた後に蓋が閉じられた状況であることを表示させる、工程
を含む、方法。
[本発明1010]
第一のインジケーターが、蓋を開ける前の容器の内部の状態を表示し、第二のインジケーターが、試料の不正開封を表示する、本発明1009の方法。
[本発明1011]
関心対象の分子の存在に関して試料を試験するための方法であって、以下:
本発明1003の容器内で、試料と、関心対象の分子と反応して分析物を生成することができる物質とを混合する工程；
試験用エレメントが試験機器と光学的に連通するように、容器を試験機器内に置く工程;及び、
分析物が試験用エレメント中に分割された場合に、該分析物の存在を光学的に検出する工程
を含み、試験用エレメントにおける分析物の検出が、試料中の関心対象の分子の存在を示す、方法。
[本発明1012]
試料及び物質が容器内の液相で混合され、分割することが、分析物を液相から試験用エレメントに移動させることを含む、本発明1011の方法。
[本発明1013]
関心対象の分子が酵素であり、物質が該酵素の基質を含む、本発明1011の方法。
[本発明1014]
酵素が微生物と関連している、本発明1013の方法。
[本発明1015]
微生物が生物学的汚染物質である、本発明1014の方法。
[本発明1016]
生物学的汚染物質が大腸菌群である、本発明1015の方法。
【図面の簡単な説明】
【０００７】
本発明の態様の特徴と利点は、添付の図面と組み合わせれば、以下の詳細な説明から明らかになるであろう。
【０００８】
【図１】本発明の態様に従った、蓋が開位置にありピンが取り付けられた容器を説明した左側面図である。
【図２】本発明の態様に従った、図1の容器を説明する正面図である。
【図３】本発明の態様に従った、図1の容器を説明する右側面図である。
【図４】本発明の態様に従った、図1の容器を説明する背面図である。
【図５】本発明の態様に従った、図1の容器を説明する上面図である。
【図６】本発明の態様に従った、図1の容器を説明する底面図である。
【図７】本発明の態様に従った、図1の容器を説明する上面斜視図である。
【図８】本発明の態様に従った、図1の容器を説明する底面斜視図である。
【図９】本発明の態様に従った、蓋が閉位置にある図1の容器を説明した左側面図である。
【図１０】本発明の態様に従った、図9の容器を説明する正面図である。
【図１１】本発明の態様に従った、図9の容器を説明する右側面図である。
【図１２】本発明の態様に従った、図9の容器を説明する背面図である。
【図１３】本発明の態様に従った、図9の容器を説明する上面図である。
【図１４】本発明の態様に従った、図9の容器を説明する底面図である。
【図１５】本発明の態様に従った、図9の容器を説明する上面斜視図である。
【図１６】本発明の態様に従った、図9の容器を説明する底面斜視図である。
【図１７】本発明の態様に従った、蓋が開位置にありピンが取りはずされた図1の容器を説明した左側面図である。
【図１８】本発明の態様に従った、図17の容器を説明する正面図である。
【図１９】本発明の態様に従った、図17の容器を説明する右側面図である。
【図２０】本発明の態様に従った、図17の容器を説明する背面図である。
【図２１】本発明の態様に従った、図17の容器を説明する上面図である。
【図２２】本発明の態様に従った、図17の容器を説明する底面図である。
【図２３】本発明の態様に従った、図17の容器を説明する上面斜視図である。
【図２４】本発明の態様に従った、図17の容器を説明する底面斜視図である。
【図２５】本発明の態様に従った、蓋がロックされた閉位置にありピンが取りはずされた図1の容器を説明した左側面図である。
【図２６】本発明の態様に従った、図25の容器を説明する正面図である。
【図２７】本発明の態様に従った、図25の容器を説明する右側面図である。
【図２８】本発明の態様に従った、図25の容器を説明する背面図である。
【図２９】本発明の態様に従った、図25の容器を説明する上面図である。
【図３０】本発明の態様に従った、図25の容器を説明する底面図である。
【図３１】本発明の態様に従った、図25の容器を説明する上面斜視図である。
【図３２】本発明の態様に従った、図25の容器を説明する底面斜視図である。
【図３３】本発明の態様に従った、蓋がロックされた閉位置にありピンが取り付けられかつ試験用エレメントが設置された図1の容器を説明する横断面図である。
【図３４】本発明の態様に従った、試験用エレメントが設置されていない図1の容器の底を説明する詳細図である。
【図３５】本発明の態様に従った、図33の容器の密封部を説明する詳細図である。
【図３６】本発明の態様に従った、試験機器に設置された図33の容器を説明する部分横断面図である。
【０００９】
添付の図面を通して、同様の特徴が同様の参照番号によって特定されることに留意されるであろう。
【発明を実施するための形態】
【００１０】
態様の詳細な説明
以下の説明では、発明の理解を提供するために詳細が述べられる。いくつかの例において、ある構造及び技術は、本発明をあいまいにしないために詳細に述べられないかまたは示されない。
【００１１】
図１は、本発明の態様に従って、蓋130が開位置190にありピン160が取り付けられている容器100を説明する左側面図である。図2は、本発明の態様に従った、図1の容器100を説明する正面図である。図3は、本発明の態様に従った、図1の容器100を説明する右側面図である。図4は、本発明の態様に従った、図1の容器100を説明する後面図である。図5は、本発明の態様に従った、図1の容器100を説明する上面図である。図6は、本発明の態様に従った、図1の容器100を説明する底面図である。図7は、本発明の態様に従った、図1の容器100を説明する上面斜視図である。図8は、本発明の態様に従った、図1の容器100を説明する底面斜視図である。
【００１２】
一つの態様に従えば、容器（またはカートリッジまたは試験カートリッジ）100は、中空の容器本体110及び密封部120を含む。本体110及び密封部120は、ガラス、プラスチックまたは金属などの透明または不透明な材料で構成され得る。使用されるプラスチックは、ポリプロピレン、ポリエチレン、ナイロン及びナイロンの誘導体を含むポリアミド、混合物、及びこれらのコポリマーを含み得る。本体110に取り付けられたまたは形成されたリングまたは枠150に、ヒンジ140によって可動的に連結される蓋130を密封部120は含む。リング150は、密封部120を本体110に連結する。リング150は、本体110の鋳型で形成されたものであってもよく、本体110と一体式であってもよい。
【００１３】
本体110は、液体または固体物質を保持するように形成される。一つの態様に従えば、物質は試験される液体であり得る。一つの態様に従えば、本体110は、側壁200、底500、及び本体110の上部610の開口600を有する円柱状の形であり得、開口600は、密封部120によって密封され得る。
【００１４】
密封部120は、ヒンジ180によって蓋130に可動的に連結されるタブ170を含む。タブ170は、ピン160の圧縮可能なヘッド161を受けるためにそこに形成された開口または穴620を有し、ピン160は、タブ170の先端171及びタブ170の一部を受けるためにそこに形成された開口またはスロット400上のリング150に取り付けられたシャフト162を有する。
【００１５】
図9は、本発明の態様に従って、蓋130が閉位置790にある図1の容器100を説明する左側面図である。図10は、本発明の態様に従った、図9の容器100を説明する正面図である。図11は、本発明の態様に従った、図9の容器100を説明する右側面図である。図12は、本発明の態様に従った、図9の容器100を説明する後面図である。図13は、本発明の態様に従った、図9の容器100を説明する上面図である。図14は、本発明の態様に従った、図9の容器100を説明する底面図である。図15は、本発明の態様に従った、図9の容器100を説明する上面斜視図である。そして、図16は、本発明の態様に従った、図9の容器100を説明する底面斜視図である。
【００１６】
密封部120の蓋130は、ヒンジ140及びヒンジ180の操作によって、図1に示された開位置190から図9に示される閉位置790まで動き得る。
【００１７】
閉位置790への移動の場合、タブ170に形成された穴620を通すためにピンヘッド161を押し縮め、その後ピンヘッド161は、その元のサイズ（または元のサイズに近い大きさ）に伸びて蓋130を閉鎖状態に保つ。このピン160のシャフト162は、ピンヘッド161より小さい直径を有する。一つの態様によれば、ピンヘッド161に形成された溝またはノッチ163によって、タブ170に形成された穴620を通るようにピンヘッド161を押し縮めることが可能になる。ピンヘッド161は、より簡単にタブ170に形成された穴620を通るように先細になっていてもよい。蓋130は閉位置790において、容器100を少なくとも部分的に気密及びまたは防水にするように、側壁200の最上部（すなわち、リング150より上の側壁200の部分）に係合してもよい。
【００１８】
図17は、本発明の態様に従って、蓋130が開位置1390にありピン160が取りはずされた図1の容器100を説明した左側面図である。図18は、本発明の態様に従った、図17の容器100を説明する正面図である。図19は、本発明の態様に従った、図17の容器100を説明する右側面図である。図20は、本発明の態様に従った、図17の容器100を説明する後面図である。図21は、本発明の態様に従った、図17の容器100を説明する上面図である。図22は、本発明の態様に従った、図17の容器100を説明する底面図である。図23は、本発明の態様に従った、図17の容器を説明する上面斜視図である。そして、図24は、本発明の態様に従った、図17の容器を説明する底面斜視図である。
【００１９】
密封部120の蓋130は、ヒンジ140及びヒンジ180の操作によって、図9に示された閉位置790から図17に示された開位置（例えば再開位置）1390に移動し得る。
【００２０】
閉位置790から開位置1390への移動の場合、ピンシャフト163のベース164のリング150からタブ170を持ち上げることによって、ピン160は、取り除かれるか、取り壊されるか、または取りはずされる。ピンシャフト162をリング150に形成された開口または穴1400に摩擦嵌めしてもよく、タブ170を持ち上げた時にピン160を取り除く、取り壊す、または取りはずすことを容易にする。またはピン160は、リング150の鋳型で形成されたものであってもよく、リング150と一体式であってもよい。取り壊されたのち、ピン160を捨ててもよい。ピン160が取り除かれた容器100は、それが再び開けられたことを意味する。このように、ピン160は、不正開封表示部または不正開封表示機構として作用する。
【００２１】
図25は、本発明の態様に従って、蓋130がロックされた閉位置1990にありピン160が取りはずされた図1の容器100を説明した左側面図である。図26は、本発明の態様に従った、図25の容器100を説明する正面図である。図27は、本発明の態様に従った、図25の容器100を説明する右側面図である。図28は、本発明の態様に従った、図25の容器100を説明する後面図である。図29は、本発明の態様に従った、図25の容器100を説明する上面図である。図30は、本発明の態様に従った、図25の容器100を説明する底面図である。図31は、本発明の態様に従った、図25の容器100を説明する上面斜視図である。そして、図31は、本発明の態様に従った、図25の容器100を説明する底面斜視図である。
【００２２】
図33は、本発明の態様に従って、蓋130がロックされた閉位置1990にありピン160が取り付けられかつ試験用エレメント590が設置された、図1の容器100を説明する横断面図である。図34は、本発明の態様に従った、試験用エレメント590が設置されていない図1の容器100の底500を説明する詳細図である。図35は、本発明の態様に従った、図33の容器100の密封部120を説明する詳細図である。そして、図36は、本発明の態様に従った、試験機器2800に設置された図33の容器100を説明する部分横断面図である。
【００２３】
密封部120の蓋130は、ヒンジ140及び180を操作することによって、図17に示された開位置1390から図25に示されるロックされた閉位置1990に移動し得る。
【００２４】
ロックされた閉位置1990へ移動する場合、タブ170の先端171を押して、リング170に形成されたスロット400に通す。タブ170の外面810に形成された溝またはノッチ800は、リング150に形成されたスロット400の内側エッジ2300と係合し、それによって蓋130は閉鎖状態でロックされる。内側エッジ2300は、スロット400の下部正面エッジであり得る。タブ170の先端171は、より簡単にリング150に形成されたスロット400を通るように丸くてもよい。スロット400は、タブ170及びそのノッチ800とよりしっかりと係合するために先細りでもよい。内側エッジ2300は、タブ170に形成された溝またはノッチ800と係合するために、突起または歯2301がそこに形成されていてもよい。
【００２５】
一つの態様によれば、タブ170は、スロット400上のリング150の部分401を取り壊すことによって、スロット400から離れ得る。この部分401は、リング150との連結部において切り取り用の穴402を有してもよく、タブ170が容器100の本体110から引き出される時に部分401が取り壊されるのを容易にする。
【００２６】
一つの態様によれば、図33及び35に示されるように、ピン160は、密封部120がロックされた閉位置（すなわち再度閉位置）1990にある時に、そこに留まり得る。これは、容器100が使用される状態では通常ないことに留意されたい。
【００２７】
一つの態様によれば、密封部120は、蓋130のタブ170に形成された穴620にピン160を差し込んだ状態で、本体110に形成あるいは成型されてもよい。すなわち容器100は、図9〜16に示された閉位置790で出荷され得る。そのような出荷によって、使用前は容器100の内側が無菌状態に維持されていることを保証し得る。
【００２８】
一つの態様において、容器100の底500はそこに形成されたくぼみ510を有し、容器100内にある物質を試験するために、外部試験機器（または試験システム）2800において、インキュベーター、置き場、または試験室2810における光学的位置合わせ台（もしくは高くなったカートリッジ台）2820と容器100をはめ合わせることができるようになっている。くぼみ510は、内側に向かって坂になっている壁520（例えば角度65度）と平らな底530とを有する丸い形であり得る。
【００２９】
一つの態様によれば、内部くぼみ540は、試験用エレメント590（例えば、分割用エレメント、シロキサン製の分割用エレメント等）を取り付けるかまたは挿入することができるように、底530に形成され得る。試験機器2800の光学的位置合わせ台2820の光学窓2830は、試験用エレメント590へ光を透過させ、かつ試験用エレメント590から光を受けることを可能にする。内部くぼみ540は、垂直または垂直に近い壁550及び平らな底560を有する丸い形であり得る。
【００３０】
一つの態様によれば、試験機器2800によって行われる試験を容易にするために試験用エレメント590を取り付けるかまたは挿入することが可能となるように、内部くぼみ540の底560に開口580が形成され得る。一つの態様によれば、試験用エレメント590は、容器100と一緒に成型され得る。他の態様によれば、試験用エレメント590は成型の後に容器100に挿入され得る。一つの態様によれば、内部くぼみ540は、底560またはその近辺において、その壁550に環状の穴570を有してもよい。試験機器2800によって行われる試験を容易にするために、試験用エレメント590またはその一部分を受けるように内部くぼみ540はサイズ決めされ得る。
【００３１】
容器100に形成されたくぼみ510、540は、試験用エレメント590を底500のレベルより高く持ち上げることによって試験用エレメント590を保護する。従って、容器100を置く面から試験用エレメント590を離すことによって、試験用エレメント590の汚染及び／または損傷を減らすあるいは防ぐことができる。
【００３２】
試験機器2800において、底500に形成されたくぼみ510は光学的位置合わせ台2820と共に、光学的位置合わせ台2820内に含まれる光学装置2840（例えば、発光ダイオード「LED」、レンズ、光ファイバー等）の性能を最適化する位置に容器100を調整または維持するために機能する。
【００３３】
操作において、一つの態様に従えば、容器100は閉位置790で出荷される。容器100に付着しているピン160は、容器100が不正開封されていないことを示す。蓋130が開けられ、ピン160が取りはずされる。試料（例えば、水）が容器100に、水中の汚染物質と反応し検出可能な生成物を生産するであろう基質とともに入れられる。容器100の蓋130はその後、蓋130のタブ170を、密封部120のリング150に形成されたスロット400に挿入することによって、閉じられロックされる1990。検出可能な生成物は、容器100にあらかじめ取り付けられた試験用エレメント590（例えば、分割用エレメント、シロキサン製の分割用エレメント等）によって分割される。容器100は、試験機器2800内の試験室またはインキュベーター2810に置かれ、容器の底100に形成されたくぼみ510と、インキュベーターに形成された光学的位置合わせ台2820とをはめ合わせることによって所定の位置にロックされる。試験用エレメント590が光学的位置合わせ台2820内でLEDによって照射され、検出可能な生成物の存在及び量が、試験機器2800中の光学的位置合わせ台2820に含まれる光学的装置2840を用いて決定される。
【００３４】
このように、一つの態様に従えば、本体110と密封部120とを含む容器100が提供される。ここで密封部120は、本体110に取り付けられたリング150にヒンジ140で留められた蓋130を有し、蓋130は、開位置190，1390から閉位置790，1990まで移動可能である。ここで蓋130は、蓋130が開位置190，1390から閉位置1990まで動く際に、リング150に形成されたスロット400にタブ170が挿入されかつ係合し、それによって蓋130を閉位置1990でロックするために、または、タブ170に形成された穴620において、リング150に取り付けられたピン160のピンヘッド161をタブ170が受けかつ係合し、それによって蓋130を閉位置790に保持するために、蓋がそこにヒンジ180で留められたタブ170を有し、タブ170及び蓋130が開位置1390に戻った時に、このピン160はリング150から離れるように構成されている。容器100と試験機器2800をはめ合わせるために、容器100は、本体110の底500に形成されたくぼみ510を含み得る。試験用エレメント590の一部分が本体110に置かれた試料と接触するように、容器100は、くぼみ510に配置された試験用エレメント590を含み得る。試験用エレメント590を、底500と接触する面から離し得る。試験用エレメント590は、試験機器2800と接触し得る。接触は、試験機器2800との光学的連通を含み得る。試験用エレメント590は、容器100の材料と一体化されてもよい。試験用エレメント590は、容器100とは異なる材料を含んでいてもよい。
【００３５】
別の態様によれば、蓋130を有する容器100に試料を保管する方法が提供され、この方法は以下を含む:閉位置790にある蓋130を有する容器100を最初に提供する工程であって、容器100が、蓋130が開けられていないことを確認する第一のインジケーター160を有する、工程；及び、蓋130を開け、試料を容器100内に置き、かつ蓋130を閉じる工程であって、第一のインジケーター160に、蓋130が開けられたことを表示させ、第二のインジケーター401に、一度開けた後に蓋130が閉じられた状況であることを表示させる、工程。第一のインジケーター160は、蓋130を開ける前の容器100の内部の状態を表示し得、第二のインジケーター401は、試料の不正開封を表示し得る。例えば、第一のインジケーター160は、容器100の内部の無菌状態を表示し得る。
【００３６】
別の態様によれば、関心対象の分子の存在について試料を試験するための方法が提供され、この方法は以下：容器100（上記で詳述）内で、試料と、関心対象の分子と反応して分析物を生成することができる物質とを混合する工程；試験用エレメント590が試験機器2800と光学的に連通するように、容器100を試験機器2800内に置く工程;及び、分析物が試験用エレメント590中に分割された場合に、この分析物の存在を光学的に検出する工程を含み、試験用エレメント590における分析物の検出は、試料中の関心対象の分子の存在を示す。試料及び物質は、容器100内の液相で混合されてもよく、分割することは、分析物を液相から試験用エレメント590に移動させることを含み得る。関心対象の分子は酵素であってもよく、物質はこの酵素用の基質を含み得る。酵素は、微生物と関連し得る。微生物は、生物学的汚染物質であり得る。生物学的汚染物質は、大腸菌群であり得る。
【００３７】
上記の態様は、改良された容器100及び容器100のための密封部120に貢献し得、一つまたは複数の利点を提供し得る。第一に、容器100の密封部120は、最初の開封後の容器100を確実にロックさせる。第二に、密封部120のピン160は、容易に明白な不正開封表示を提供する。第三に、容器100の底500に形成されたくぼみ510、540は、試験用エレメント590を保護する。
【００３８】
上記に述べられた本発明の態様は、例示のみを意図したものである。当業者は、種々の詳細な改変がこれらの態様になされ得ることを理解するであろう。それらのすべてが、本発明の範囲内である。
【図１】
0005916148.tif 000002
【図２】
0005916148.tif 000003
【図３】
0005916148.tif 000004
【図４】
0005916148.tif 000005
【図５】
0005916148.tif 000006
【図６】
0005916148.tif 000007
【図７】
0005916148.tif 000008
【図８】
0005916148.tif 000009
【図９】
0005916148.tif 000010
【図１０】
0005916148.tif 000011
【図１１】
0005916148.tif 000012
【図１２】
0005916148.tif 000013
【図１３】
0005916148.tif 000014
【図１４】
0005916148.tif 000015
【図１５】
0005916148.tif 000016
【図１６】
0005916148.tif 000017
【図１７】
0005916148.tif 000018
【図１８】
0005916148.tif 000019
【図１９】
0005916148.tif 000020
【図２０】
0005916148.tif 000021
【図２１】
0005916148.tif 000022
【図２２】
0005916148.tif 000023
【図２３】
0005916148.tif 000024
【図２４】
0005916148.tif 000025
【図２５】
0005916148.tif 000026
【図２６】
0005916148.tif 000027
【図２７】
0005916148.tif 000028
【図２８】
0005916148.tif 000029
【図２９】
0005916148.tif 000030
【図３０】
0005916148.tif 000031
【図３１】
0005916148.tif 000032
【図３２】
0005916148.tif 000033
【図３３】
0005916148.tif 000034
【図３４】
0005916148.tif 000035
【図３５】
0005916148.tif 000036
【図３６】
0005916148.tif 000037